(57)【特許請求の範囲】
【請求項１】
所定の機能を有する装置を駆動可能なＲＦＩＤタグと前記ＲＦＩＤタグを読み出すリーダとを含むタグシステムであって、
前記ＲＦＩＤタグは、前記所定の機能を有する装置を駆動するための駆動部を有し、
前記リーダからの読み出しに応答するときにサブキャリアを出力し、
前記駆動部は前記サブキャリアを検出して前記機能を有する装置を駆動する、タグシステム。
【請求項２】
前記所定の機能を有する装置はＬＥＤであり、
前記駆動部は前記ＬＥＤを駆動する、請求項１に記載のタグシステム。
【請求項３】
前記所定の機能を有する装置はブザーであり、
前記駆動部は前記ブザーを駆動する、請求項１または２に記載のタグシステム。
【請求項４】
前記所定の機能を有する装置を駆動可能なＲＦＩＤタグは、前記ＲＦＩＤタグと前記所定の機能を有する装置とが一体的に設けられている、請求項１〜３のいずれかに記載のタグシステム。
【請求項５】
前記所定の機能を有する装置を駆動可能なＲＦＩＤタグは、前記ＲＦＩＤタグと前記所定の機能を有する装置とは分離して設けられている、請求項１〜３のいずれかに記載のタグシステム。
【請求項６】
前記所定の機能を有する装置は前記リーダライタからの電磁波を受信するアンテナと、前記ＲＦＩＤタグと更新するリピータアンテナとを含む、請求項５に記載のタグシステム。
【請求項７】
リーダによって読み出され、所定の機能を有する装置を駆動可能なＲＦＩＤタグであって、
前記所定の機能を有する装置を駆動するための駆動部を有し、
前記リーダからの読み出しに応答するときにサブキャリアを出力し、
前記駆動部は前記サブキャリアを検出して前記機能を有する装置を駆動する、ＲＦＩＤタグ。
【発明の詳細な説明】
【技術分野】
【０００１】
この発明は装置を駆動する機能を有するタグシステムおよびＲＦＩＤタグに関し、特に、簡単に装置を駆動できるタグシステムおよびＲＦＩＤタグに関する。
【背景技術】
【０００２】
従来の、ＲＦＩＤが備える報知手段を駆動するためにアンテナに照射される電波の電力を抑制しつつ、ＬＥＤやブザーなどの報知を実行するＲＦＩＤタグシステムが、たとえば、特許文献１に開示されている。特許文献１によれば、リーダライタはハンディリーダライタと設置リーダライタとを含み、設置リーダライタは書棚に陳列された書籍の背表紙に貼付されたＲＦＩＤタグの近傍に配置されている。ユーザが所望の書籍を探索する場合、ハンディリーダライタから探求するタグの固有ＩＤを指定した信号を送信し、次いで、設置リーダライタから識別ＩＤ指定信号を送信し、探索ＲＦＩＤタグが備えるＬＥＤを点灯させるシステムを開示している。
【先行技術文献】
【特許文献】
【０００３】
【特許文献１】特開２００９−３０１３７４号公報（要約等）
【発明の概要】
【発明が解決しようとする課題】
【０００４】
従来のＬＥＤのような装置を駆動可能なＲＦＩＤタグシステム（以下、「タグシステム」という場合がある）は上記のように構成されていた。従来のようなシステムでは、リーダライタとして、ハンディリーダライタと設置リーダライタとを準備する必要があり、装置として複雑であり、コストがかかるという問題があった。
【０００５】
この発明は、上記のような問題点に鑑みてなされたもので、簡単な構成で、タグに接続された装置を駆動できるタグシステムおよびタグを提供することを目的とする。
【課題を解決するための手段】
【０００６】
この発明に係るタグシステムは、所定の機能を有する装置を駆動可能なＲＦＩＤタグと前記ＲＦＩＤタグを読み出すリーダとを含む。ＲＦＩＤタグは、所定の機能を有する装置を駆動するための駆動部を有し、リーダからの読み出しに応答するときにサブキャリアを出力し、駆動部はサブキャリアを検出して機能を有する装置を駆動する。
【０００７】
好ましくは、所定の機能を有する装置はＬＥＤ等の低消費電力タイプの報知装置であり、駆動部はＬＥＤを駆動する。
【０００８】
さらに好ましくは、所定の機能を有する装置はブザー等の高消費電流タイプの報知素子を電池駆動する装置であり、駆動部はブザーを起動する信号を生成する。
【０００９】
所定の機能を有する装置を駆動可能なＲＦＩＤタグは、ＲＦＩＤタグと所定の機能を有する装置とその駆動部とが一体的に設けられていてもよいし、分離して設けられていてもよい。
【００１０】
所定の機能を有する装置と駆動部はリーダライタからの電磁波を受信するアンテナと、ＲＦＩＤタグと交信するリピータアンテナとを含むのが好ましい。
【００１１】
リーダは固定式であってもよいし、ハンディー式であってもよい。
【００１２】
この発明の他の局面においては、ＲＦＩＤタグは、リーダによって読み出され、所定の機能を有する装置を駆動可能である。ＲＦＩＤタグは、所定の機能を有する装置を駆動するための駆動部を有し、リーダからの読み出しに応答するときにサブキャリアを出力し、駆動部はサブキャリアを検出して機能を有する装置を駆動する。
【００１３】
まず、この発明の原理について説明する。この発明はＲＦＩＤタグ用のリーダの問合せに対してＲＦＩＤタグが記憶しているデータを送信するときの側波帯成分（以下、「サブキャリア」という）を検出して、検出したサブキャリアを用いて、例えば、ＬＥＤを光らせる。図１および図２はこの発明の原理を説明するための図である。図１（Ａ）はＩＳＯ１５６９３に準拠したタグへのコマンド発行時のサブキャリアを示す図であり、（Ｂ）はデータ読取時のサブキャリアを示す図である。
【００１４】
図１（Ａ）を参照して、リーダライタからコマンド送信やデータ書込みが行なわれるときは、搬送波（１３．５６０ＭＨｚ）の上下におよそ２６ｋＨｚ幅のサブキャリアが存在する。一方、図１（Ｂ）に示すように、リーダライタがタグからデータを読取ときにはタグは、搬送波（１３．５６０ＭＨｚ）の上下に４２４ｋＨｚの間隔でおよそ２６ＫＨｚ幅のサブキャリアが存在する。
【００１５】
図２は、このサブキャリアを検出して、例えば、ＬＥＤを光らせる場合の駆動部のサブキャリア検出回路の構成を示すブロック図である。図２を参照して、駆動部１００は、標準のＲＦＩＤタグ１１０に接続された、整流回路１０１と、検波回路１０２と、帯域通過フィルタ１０３と、増幅器１０４と、コンパレータ１０５と、ＬＥＤ１０６とを含む。この帯域通過フィルタ１０３を用いて４２４ｋＨｚ等のサブキャリア周波数に同調させる。
【００１６】
なお、ここではタグを用いて説明したが、これに限らず、ＩＣカード等であってもよい。また、ＩＳＯ１５６９３に準拠したタグを例にあげて説明したが、これに限らず、サブキャリアを用いてデータ読取を行なう任意のタグやＩＣカードに利用可能である。
【発明の効果】
【００１７】
ＲＦＩＤタグの応答時のサブキャリアを検出して、それによって所定の装置を駆動させるようにしたため、タグの応答時に所定の装置を駆動できる。
【００１８】
その結果、簡単な構成で、タグに接続された装置を駆動できるタグシステムおよびタグを提供できる。
【図面の簡単な説明】
【００１９】
【図１】この発明の原理を説明するための図である。
【図２】この発明の原理を説明するための図である。
【図３】装置を駆動する機能を有するタグシステムの一実施の形態を示すブロック図である。
【図４】装置を駆動する機能を有するタグシステムの他の実施の形態を示すブロック図である。
【図５】装置を駆動する機能を有するタグシステムのさらに他の実施の形態を示すブロック図である。
【図６】タグシステムの利用方法を示す図である。
【図７】タグシステムの他の利用方法を示す図である。
【図８】タグシステムのさらに他の利用方法を示す図である。
【図９】タグシステムのさらに他の利用方法を示す図である。
【発明を実施するための形態】
【００２０】
以下、この発明の一実施の形態を、図面を参照して説明する。図３はこの発明の一実施の形態に係る、装置を駆動する機能を有するタグシステムの一実施の形態を示すブロック図である（この形式を「一体型光るタグ」という）。ここでは、タグシステムが、装置を駆動する機能として、ＬＥＤを点灯させる機能を有する場合について説明する。
【００２１】
図３を参照して、タグシステム１０は、ＲＦＩＤタグを特定するためのパソコン１１と、パソコン１１に接続されたリーダライタ（ＲＷ）１２と、リーダライタ１２に接続されたリーダライタアンテナ１３と、リーダライタ１２によって特定される、光るタグ２０とを含む。光るタグ２０は、リーダライタ１２からの電磁波によって駆動されて所定の電力を発生するアンテナ２１と、アンテナ２１に接続されたトランスポンダＩＣ（以下「ＴＲＩＣ」という）２２と、光る機能としてのＬＥＤ駆動部２３とを一体的に含む。ここで、リーダライタアンテナ１３の形成する磁路を参照番号１５で示す。
【００２２】
なお、パソコン１１には複数のタグがそれを特定する番号と共に格納されており、ユーザがその中から所望のタグを選択することによって光るタグ２０を特定できる。また、リーダライタではなく、リーダのみであってもよい。
【００２３】
次に、この実施の形態における動作について説明する。パソコン１１で所望のタグを特定すると、それがリーダライタ１２を介してリーダライタアンテナ１３に送られ、それによってタグ２０のアンテナ２１が起動され、ＴＲＩＣ２２が応答する。そのとき、ＴＲＩＣ２２が出力するサブキャリアをＬＥＤ駆動部２３に設けられた図示のないサブキャリア検出回路で検出してＬＥＤ２４を駆動する。
【００２４】
次にこの発明の他の実施の形態について説明する。図４はこの発明の他の実施の形態を示す図である。この実施の形態においては、先の実施の形態と比べて、ＬＥＤを駆動する部分とタグとが分離されている（この形式を「分離型光るタグ」という）点が異なる。その他の部分については、先の実施の形態と同じであるので、同一部分に同一の参照符号を付与してその説明は省略する。
【００２５】
図４を参照して、この実施の形態においては、光るタグ３０は、ＲＦＩＤタグ３１とＬＥＤ部３５とが別に設けられている。ＲＦＩＤタグ３１は通常のタグであり、アンテナ３２とＴＲＩＣ３３とを含み、磁路３４でリーダライタアンテナ１３とアンテナ３２とが接続される。
【００２６】
一方、ＬＥＤ部３５は、アンテナ３６とＬＥＤ駆動部３７とを含み、ＬＥＤ駆動部３７は、図示のない駆動回路とＬＥＤ３８とを含む。磁路３９でリーダライタアンテナ１３とアンテナ３６とが接続され駆動部への電力供給が行われる。そして、磁路５３でアンテナ３２とアンテナ３６が接続され、サブキャリアの受信が行われる。
ここでは、ＴＲＩＣ３３の出力するサブキャリアをＬＥＤ部３５に格納された駆動回路が検出してＬＥＤを点灯させる。
【００２７】
次にこの発明のさらに他の実施の形態について説明する。図５はこの発明のさらに他の実施の形態を示す図である。この実施の形態においては、先の実施の形態と比べて、ＬＥＤを駆動する部分にリピータアンテナを設けている点が異なる。その他の部分については、先の実施の形態と同じであるので、同一部分に同一の参照符号を付与してその説明は省略する。
【００２８】
図５を参照して、この実施の形態においては、光るタグ４０は、ＬＥＤ部４１とＲＦＩＤタグ４６とが別に設けられている。ＬＥＤ部４１は図４に示したＬＥＤ部３５にリピータアンテナ４９を追加したものであり、アンテナ４２と光る機能ブロック４３とリピータアンテナ４９とを含む。光る機能ブロック４３は、図示のない駆動回路とＬＥＤ４４とを含む。ここでは、磁路４５でリーダライタアンテナ１３とＬＥＤ部４１のアンテナ４２とが接続されている。この形式をリピータアンテナ型光るタグという。
【００２９】
ＲＦＩＤタグ４６は図４に示した通常のタグであり、アンテナ４７とＴＲＩＣ４８とを含む。ＬＥＤ部４１のリピータアンテナ４９とＲＦＩＤタグ４６のアンテナ４７とが磁路５４で接続される。ここでは、ＴＲＩＣ４８の出力するサブキャリアをＬＥＤ部４１に格納された駆動回路が検出してＬＥＤ４４を点灯させる。
【００３０】
次にこの発明の利用方法について説明する。図６はこの発明の一実施の形態に係る、光るタグを医療カルテの検出に用いた場合の利用例を示す図である。医療カルテの各々には図３で説明した一体型光るタグが貼付されている。
【００３１】
図６（Ａ）を参照して、一体型光るタグを利用したカルテ管理システム５０は、パソコン１１と、リーダライタ１２と、リーダライタアンテナ１３と、リーダライタアンテナ１３の上にカルテの面がリーダライタアンテナ１３の長手方向に直交するように並べられた複数の医療カルテ５１とを含む。
【００３２】
図６（Ｂ）は医療カルテを一部取り出した状態を示す図である。図６（Ｂ）に示すように、矩形の医療カルテホルダの１つの隅の近傍に光るタグ２０が貼付されている。図６（Ｃ）は図６（Ｂ）に示した医療カルテに取付けられる光るタグ２０の模式図である。図６（Ｃ）に示すように、タグ２０の一部にＬＥＤ２４が設けられている。
【００３３】
次に、このシステムの使用方法について説明する。ユーザはパソコン１１から所望のカルテ番号を入力する。入力されたカルテ番号に対応するＲＦＩＤタグ番号がリーダライタ１２に送られ、リーダライタ１２からＲＦＩＤタグ番号が出力される。それによってＲＦＩＤタグが反応し、自己の識別番号を出力する。そのときに同時に出力されたサブキャリアが図示のないサブキャリア検出回路で検出され、それに応じて、カルテに設けられたＬＥＤ２４が点灯する。
【００３４】
このようにカルテ管理システムを構成することにより、簡単な構成で、所望の医療カルテを目視で探すことが可能になる。
【００３５】
次に、他の利用方法について説明する。図７は図４に示した分離型の光るタグシステムをキーボックスシステム６０に用いた例を示す模式図である。
【００３６】
図７（Ａ）はこの実施の形態におけるキーボックスシステム６０の全体構造を示す模式図である。図７（Ａ）を参照して、パソコン１１やリーダライタ１２は先の実施の形態と同様に設けられる。この実施の形態においては、リーダライタアンテナ１３は横５列、縦４列の合計２０個のキーを吊り下げる吊り下げ部６３を有するキーボックス６１の周囲を囲むように設けられている。
【００３７】
個々のキー６２はＲＦＩＤタグ３１に取付けられて、この吊り下げ部６３に吊り下げられる。
【００３８】
図７（Ｂ）は吊り下げ部６３と、吊り下げ部６３に保持される個々のキー６２を示す図である。図７（Ｂ）に示すように、吊り下げ部６３にはＴＲＩＣ分離型の光るタグ３０が設けられている。ここに、ＲＦＩＤタグ３１に取付けられたキー６２が吊り下げられる。
【００３９】
このような状態でパソコン１１を用いて特定のキー番号を入力すると、それに紐付けされたＲＦＩＤタグ３１がリーダライタ１２およびリーダライタアンテナ１３を介して応答する。そのときＲＦＩＤタグ３１とＴＲＩＣ分離型光るタグ３５は重ねられているため、ＲＦＩＤタグ３１の応答時のサブキャリアをＴＲＩＣ分離型光るタグ３５は検出し、キーボックス６１のそのキーが保持されている箇所のＴＲＩＣ分離型光るタグ３５に設けられたＬＥＤ３８が点等する。
【００４０】
次に、さらに他の利用方法について説明する。図８は図５に示したリピータアンテナ型光るタグを、チップ部品リールホルダシステム７０に用いた例を示す模式図である。
【００４１】
図８（Ａ）はこの実施の形態におけるリールホルダシステム７０の全体構造を示す模式図である。図８（Ａ）を参照して、パソコン１１やリーダライタ１２は先の実施の形態と同様に設けられる。リールホルダ７１は、所定の幅を有する円板状のリール７２を保持するために、上部が開口された、一定の幅を有するファイル状である。この実施の形態においては、リーダライタアンテナ１３は複数のリールホルダ７１の背面を囲むように設けられている。
【００４２】
図８（Ｂ）は光機能付きリールホルダ７１の全体構成を示す斜視図である。リールホルダ７１はその一方側表面に設けられたアンテナカバー磁性体シート７３とアンテナカバー磁性体シート７３上に貼付されたリピータアンテナ４９とを含む。リールホルダ７１の背面にはＬＥＤ４４と図示のない駆動回路とが設けられたＬＥＤ部４３が設けられ、その下部にアンテナ４２が設けられている。リーダライタ１３のアンテナはこのアンテナ４２を囲むように設けられている。
【００４３】
一方、リール７２にはＲＦＩＤタグ４６が貼付されており、その状態で、リール７２はリールホルダ７１に収容されている。
【００４４】
次にこの実施の形態における利用方法について説明する。チップ部品リール７２には購入時点で予めＲＦＩＤタグ４６を貼り付けておく。同時にそのＲＦＩＦタグ４６に検索に便利な部品データを書込み、パソコン１１に登録しておく。そして、空いているリールホルダ７１にリール７２のＲＦＩＤタグ４６が貼り付けられている面をリピータアンテナ４９側にして保管する。
【００４５】
リール７２の保管場所の確認は、そのリール７２のＲＦＩＤタグ４６のデータをリーダライタ１２から読み出すことによって行なう。このとき、保管しているリールホルダ７１のＬＥＤ４４が光って所在を知ることができる。
【００４６】
同様の機能をマウンタの部品フィーダに搭載すれば、保管場所でフィーダ位置の確認及び、マウンタセット時にマウンタからフィーダセット位置と直接フィーダに装着しているリールデータを貼付されたＲＦＩＤタグから照合することができ、誤セット防止及びセット位置確認工数の大きな削減が可能になる。
【００４７】
次に、さらに他の利用方法について説明する。図９はリピータアンテナ型光るタグを書類管理ホルダに用いた例を示す模式図である。
【００４８】
図９（Ａ）はこの実施の形態における書類管理ホルダシステム８０の全体構成を示す模式図である。図９（Ｂ）は書類ホルダ８１の断面図であり、図９（Ｃ）はリピータアンテナ型光るタグの具体的構成を示す図である。
【００４９】
図９（Ａ）を参照して、書類管理ホルダシステム８０は、パソコン１１とリーダライタ１２とリーダライタアンテナ１３と、リーダライタアンテナ１３の上に配置された複数の書類ホルダ８１を含む。
【００５０】
図９（Ｂ）および図９（Ｃ）を参照して、書類ホルダ８１はファイル状であり、相互に対向する一対の矩形の面を有し、その一方側の面にリピータアンテナ４９と、１つの隅の近傍にＬＥＤ部４１（アンテナ４２を含む）とが設けられている。リーダライタアンテナ１３の長手方向に延在するループアンテナの長手方向に直交するように書類ホルダ８１の矩形の面が配列される。すなわち、ＬＥＤ部４１（アンテナ４２を含む）がリーダライタアンテナ１３の長手方向に直交するように配列される。
【００５１】
書類ホルダ８１に保持されるホルダ８２は書類ホルダ８１とほぼ同様の構成を有するファイル状であり、書類８３を保持する書類保持部８４と、書類保持部８４の一方面に設けられた干渉防止磁性体シート８５と、干渉防止磁性体シート８５の上に設けられたカードポケット８６とを有する。カードポケット８６にはＩＳＯカード（ＲＦＩＤタグ）４６が収納自在に保持される。
【００５２】
次に、この実施の形態の利用方法について説明する。先の実施の形態と同様に、書類８３とＲＦＩＤタグ４６とを関連付けてパソコン１１に格納しておく。一方、書類はホルダ８２に格納しＲＦＩＤタグ４６とともに書類ホルダ８１に収容して、長手方向に延在するリーダライタアンテナ１３上に配列する。
【００５３】
パソコン１１で所望の書類を選択すると、リーダライタ１２を介してＲＦＩＤタグ４６が検出され、その応答時のサブキャリアを、アンテナ４２を介してＬＥＤ部４１が受け、ＬＥＤ４４が点灯する。
【００５４】
なお、この実施の形態においては、書類識別用のＲＦＩＤタグとして汎用のＩＳＯカードを使用できる。
【００５５】
なお、上記実施の形態においては、タグのサブキャリアを検出して、装置としてＬＥＤ等の低消費電力タイプ（自分自身で駆動が可能な形式）の報知装置を駆動する場合について説明したが、これに限らず、装置としてブザーや高輝度ランプ等の高消費電力タイプ（自分自身で駆動することなく、他の電池や電源を用いて駆動させる形式）の報知素子を駆動するようにしても良い。また、ＬＥＤとブザーとを併用して駆動するようにしてもよい。また、駆動部のＬＥＤ駆動信号をトリガー信号として出力し、それによって他の電源を用いた、大電流を必要とする警告灯やモータを駆動するようにしてもよい。
【００５６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００５７】
この発明に係るタグシステムは、リーダからの読み出しに応答するときのサブキャリアを検出してＬＥＤを点灯するため、ＲＦＩＤタグを特定すると同時にタグの位置を検出できるため、位置を検出するタグとして有利に使用される。
【符号の説明】
【００５８】
１０  タグシステム、１１  パソコン、１２  リーダライタ、１３  リーダライタアンテナ、２０，３０、４０  光るタグ、２２  トランスポンダＩＣ、２３  ＬＥＤ駆動部、２４  ＬＥＤ。
【図１】
0005499977.tif 000002
【図２】
0005499977.tif 000003
【図３】
0005499977.tif 000004
【図４】
0005499977.tif 000005
【図５】
0005499977.tif 000006
【図６】
0005499977.tif 000007
【図７】
0005499977.tif 000008
【図８】
0005499977.tif 000009
【図９】
0005499977.tif 000010